(57)【要約】【課題】照度センサによる照度検出処理及びこのセンサ信号の送信処理が行われる予め設定された時間間隔を変更可能に制御できる照度センサを備えたことで、照度センサの消費電力を低減し電池寿命を長くできる照明制御システムを提供する。【解決手段】本発明の照明制御システム１は、照度センサ１０と、照度計測部１３と、無線通信部１４と、制御部１５と、電源部１２とを備えた無線照度センサ２と、送受信機５と、送受信機５により受信した照度値信号に基づく照度レベルが予め設定された照度レベルに一致するように調光信号を生成して特定の照明装置４を調光制御する照明制御装置と３とを具備し、無線照度センサ２の制御部１５は、照度計測部１３による計測処理と無線通信部１５による照度値信号の送信処理を予め設定された時間間隔ｔ０で行うものであって、特定の照明装置４の点灯状態に応じて、予め設定された時間間隔ｔ０を変更するように制御する。【選択図】図１
2009181747.tif 000002
【特許請求の範囲】
【請求項１】
複数の照明装置の特定の照明装置の照明エリアの照度を検出するセンサ部と；このセンサ部の検出結果を基に計測処理して照度値信号を得る照度計測部と；前記照度値信号を含む各種設定信号を無線方式で送受信可能な無線通信部と；前記照度計測部による計測処理及び前記無線通信部による送受信処理を制御する制御部と；電力供給源である電源部とを備えた無線照度センサと；
前記無線照度センサの前記無線通信部により送信された照度値信号を受信すると共に、前記無線通信部に各種設定信号の送信が可能な送受信機と；
前記送受信機により受信した照度値信号に基づく照度レベルが予め設定された照度レベルに一致するように調光信号を生成し、この生成した調光信号を前記特定の照明装置に出力して前記特定の照明装置を調光制御する照明制御装置と；を具備し、
前記無線照度センサの前記制御部は、前記照度計測部による計測処理と前記無線通信部による前記照度値信号の送信処理を予め設定された時間間隔で行うものであって、前記特定の照明装置の点灯状態に応じて、前記予め設定された時間間隔を変更するように制御することを特徴とした照明制御システム。
【請求項２】
前記無線照度センサの前記制御部は、前記特定の照明装置の点灯状態を示す設定信号を受信した場合には、前記予め設定された時間間隔を変更した第１のスリープモードを実行するように制御することを特徴とした請求項１に記載の照明制御システム。
【請求項３】
前記無線照度センサの前記制御部は、前記照度計測部による照度値信号に基づく照度レベルが予め設定された消灯状態に対応する照度レベルに一致するか否かを判定する照度判定部を有し、前記無線通信部により前記特定の照明装置の点灯状態を示す設定信号を受信しなくても、前記照度判定部による判定結果に基づき前記予め設定された時間間隔を変更した第２のスリープモードに移行するように制御することを特徴とした請求項１又は請求項２に記載の照明制御システム。
【請求項４】
前記無線照度センサの前記制御部は、前記予め設定された時間間隔を変更する場合には、前記照度計測部による計測処理と前記無線通信部による前記照度値信号の送信処理を行った後に、前記電源部による給電を停止して前記照度計測部による計測処理と前記無線通信部による前記照度値信号を含む各種設定信号の送受信処理とを行わない第３のスリープモードを所定時間実行するように制御することを特徴とする請求項１ないし請求項３のいずれか１項に記載の照明制御システム。
【発明の詳細な説明】
【技術分野】
【０００１】
本発明は、照度センサによる計測照度と予め設定された照度レベルとが一致するように照明装置を調光制御する照明制御装置を備えた照明制御システムに関する。
【背景技術】
【０００２】
一般に、屋内に配設される照明装置は、照明制御装置とで照明制御システムとして構成され、この照明制御装置によって調光が制御されるようになっている。
【０００３】
また、最近では、このような照明制御システムに照度センサを設け、この照度センサを用いて机上面や床面などの被照射面の照度を一定に制御する照明制御装置を備えた照明制御システムが提案されている。
【０００４】
例えば、特許文献１には、照度センサにより特定の照明装置の照明エリアの明暗度を検出し、制御部により照度センサにより検出された明暗度が目標照度に一致するように調光制御信号を運算処理し、そして、ワイヤレス送信部により送信された調光制御信号を受信すると共に、この受信した調光制御信号に基づき照明装置の調光レベルを可変するようにした照明制御システムに関する技術が開示されている。
【０００５】
また、照度センサに相当するセンサを子局ユニットとし、この子局ユニットからのセンサ信号を受信する照明制御装置に相当の親局ユニットを備えたシステムにおいて、センサ信号の送信タイミングなどの制御方法に関する関連技術としては、例えば、特許文献２によって開示されたシステムがある。
【０００６】
この特許文献２に記載のシステムは、複数台のセンサのセンサ信号を無線送信する子局ユニットと、この子局ユニットにより送信されたセンサ信号を受信する親局ユニットとを備え、親局ユニットは子局ユニットがセンサ信号を順次送信するタイミング時刻を予め設定し、子局ユニットから送信されるセンサ信号を順次受信するように間欠動作方式を用いた構成とすることで、子局ユニットのセンサ信号を送信できる間隔を短くでき、子局ユニットの電池交換等のコストを低減するようにしている。
【特許文献１】特開２００３−１００４７０号公報。
【特許文献１】特開２００６−３９４６号公報。
【発明の開示】
【発明が解決しようとする課題】
【０００７】
ところで、前記したような間欠動作方式を用いた従来の照明制御システムでは、照度センサによる照度検出及びセンサ信号の送信等の処理を予め設定された時間間隔で行っているがこの時間間隔（インターバルともいう）を長くとると、照度センサ側などの消費電力を抑制することが可能であるが、前記処理を行う時間間隔（サンプリング間隔ともいう）が長くなるために、前記処理における検出精度が劣化してしまうことになる。
【０００８】
一方、インターバルを短く、且つサンプリング間隔も短くすると、前記処理における検出精度は向上するが、状況によっては、前記処理における検出精度がそれほど必要でない場合、例えば照明器具の消灯要求があった場合等でも、不要な前記処理を行ってしまい、照度センサの消費電力が増加しこの照度センサの電池寿命が短くなってしまう。
【０００９】
しかしながら、前記従来の特許文献２に記載のシステムは、子局ユニット自体の判断によってサンプリング間隔を制御するものではなく、親局ユニットからのデータタイミング時刻などの制御信号に基づいて、子局ユニットのセンサによる検出及びセンサ信号の送信等の処理の実行を制御しているので、この処理における検出精度がそれほど必要でない場合、例えば照明装置の消灯要求があった場合等でも、サンプリング間隔を短くして処理を実行してしまうため、子局ユニットの消費電力が増加しこの子局ユニットの電池の寿命が短くなってしまうといった不都合があった。
【００１０】
また、前記従来の特許文献２に記載の照明制御システムは、単に照度センサによる計測照度と予め設定された照度レベルとが一致するように照明装置を調光制御する照明制御装置を備えた照明制御システムであり、照度センサによる照度検出及びセンサ信号の送信等の処理における検出精度がそれほど必要のない場合、例えば照明装置の消灯要求があった場合等の、照度センサと照明制御装置との制御方法については何等開示も示唆もされてはいない。
【００１１】
そこで、本発明は前記問題点に鑑みてなされたものであり、照度センサによる照度検出処理及びこのセンサ信号の送信処理が行われる予め設定された時間間隔を変更可能に制御できる照度センサを備えたことで、照度センサの消費電力を低減し電池寿命を長くできる照明制御システムを提供することを目的とする。
【課題を解決するための手段】
【００１２】
請求項１の発明の照明制御システムは、複数の照明装置の特定の照明装置の照明エリアの照度を検出するセンサ部と；このセンサ部の検出結果を基に計測処理して照度値信号を得る照度計測部と；前記照度値信号を含む各種設定信号を無線方式で送受信可能な無線通信部と；前記照度計測部による計測処理及び前記無線通信部による送受信処理を制御する制御部と；電力供給源である電源部とを備えた無線照度センサと；前記無線照度センサの前記無線通信部により送信された照度値信号を受信すると共に、前記無線通信部に各種設定信号の送信が可能な送受信機器と；前記送受信機により受信した照度値信号に基づく照度レベルが予め設定された照度レベルに一致するように調光信号を生成し、この生成した調光信号を前記特定の照明装置に出力して前記特定の照明装置を調光制御する照明制御装置と；を具備し、前記無線照度センサの前記制御部は、前記照度計測部による計測処理と前記無線通信部による前記照度値信号の送信処理を予め設定された時間間隔で行うものであって、前記特定の照明装置の点灯状態に応じて、前記予め設定された時間間隔を変更するように制御することを特徴とする。
【００１３】
尚、前記特定の照明装置とは、複数の照明装置のうち、センサ部により照度（明暗度）が検出される照明エリアを照明している照明装置を示している。そして照度計測部により計測された照度値信号の照度レベルは、実際の照度レベルと略同じである。そして、無線照度センサは、実際に作業を行う机上面や作業面、あるいはその近くに配置され、間接的に実際の照度を検出する。
【００１４】
照明制御装置によって生成された調光信号が前記特定の照明装置に出力されると、特定の照明装置の照明エリアの照度は、常に目標照度に一定制御される。
【００１５】
また、前記特定の照明装置の点灯状態とは、例えば手動で特定の照明装置の点灯をオン／オフする壁スイッチからの操作信号、あるいは照明制御装置内に記憶された照明装置の使用状況を示すスケジュール情報などの情報を用いて識別可能である。すなわち、操作信号から特定の照明装置の点灯をオフする要求があった場合、あるいはスケジュール情報に特定の照明装置の点灯をオフする設定があった場合に、前記予め設定された時間間隔を変更するように制御される。
【００１６】
尚、無線照度センサは、複数設けても良い。また、特定の照明装置の点灯状態と共に、人の有無を判断する人感センサによる検出結果に応じて、前記予め設定された時間間隔を変更するように制御しても良い。
【００１７】
請求項２の発明の照明制御システムは、請求項１に記載の照明制御システムにおいて、前記無線照度センサの前記制御部は、前記特定の照明装置の点灯状態を示す設定信号を受信した場合には、前記予め設定された時間間隔を変更した第１のスリープモードを実行するように制御することを特徴とする。
【００１８】
請求項３の発明の照明制御システムは、請求項１又は請求項２に記載の照明制御システムにおいて、前記無線照度センサの前記制御部は、前記照度計測部による照度値信号に基づく照度レベルが予め設定された消灯状態に対応する照度レベルに一致するか否かを判定する照度判定部を有し、前記無線通信部により前記特定の照明装置の点灯状態を示す設定信号を受信しなくても、前記照度判定部による判定結果に基づき前記予め設定された時間間隔を変更した第２のスリープモードに移行するように制御することを特徴とする。
【００１９】
請求項４の発明の照明制御システムは、請求項１ないし請求項３のいずれか１項に記載の照明制御システムにおいて、前記無線照度センサの前記制御部は、前記予め設定された時間間隔を変更する場合には、前記照度計測部による計測処理と前記無線通信部による前記照度値信号の送信処理を行った後に、前記電源部による給電を停止して前記照度計測部による計測処理と前記無線通信部による前記照度値信号を含む各種設定信号の送受信処理とを行わない第３のスリープモードを所定時間実行するように制御することを特徴とする。
【発明の効果】
【００２０】
請求項１の発明によれば、照度センサによる照度検出処理及びこのセンサ信号の送信処理が行われる予め設定された時間間隔を変更可能に制御できる照度センサを備えたことで、照度センサの消費電力を低減し電池寿命を長くできる照明制御システムを提供することが可能となる。これにより、省エネ効果の向上に大きく寄与する。
【００２１】
請求項２の発明によれば、第１のスリープモードを実行したことにより、前記請求項１と同様の効果が得られる。
【００２２】
請求項３の発明によれば、前記請求項１の発明と同様の効果が得られる他に、前記照度計測部による照度値信号に基づく照度レベルが予め設定された消灯状態に対応する照度レベルに一致するか否かを判定する照度判定部を有しているので、無線照度センサ側で照度の判定を行うことができ、よって照明制御装置からの制御信号の送信も必要ないので、システム全体の消費電力を低減することができる。
【００２３】
請求項４の発明によれば、前記請求項１の発明と同様の効果が得られる他に、無線照度センサ主体で前記予め設定された時間間隔の変更制御が行うことができるとともに、無線照度センサ自体を完全にオフする第３のスリープモードの実行により、さらに無線照度センサの消費電力を低減し、電池の寿命を長くできる。
【発明を実施するための最良の形態】
【００２４】
以下、図面を参照して本発明の実施の形態を説明する。
【００２５】
（第１の実施の形態）
図１から図４は本発明の第１の実施の形態を示し、図１は第１の実施の形態の照明制御システムの全体構成を示す構成図、図２は図１の無線照度センサの具体的な構成を示すブロック図、図３は通常時の無線照度センサの制御例を説明するための説明図、図４は消灯要求等の指示があった場合の無線照度センサのインターバル変更制御例を説明するための説明図である。
【００２６】
図１に示すように、本実施の形態の照明制御システム１は、無線照度センサ２と、照明制御装置３と、複数の照明装置４と、送受信機５と、操作部を構成する壁スイッチ６を有して構成されている。
【００２７】
照明制御装置３、複数の照明装置４、送受信機５及び壁スイッチ６は、バス７を介して電気的に接続されている。
【００２８】
無線照度センサ２は、床面に配置された机９の上面の所定の位置に設置されている。この机９は、特定の照明装置４の照明エリア内に配置されている。
【００２９】
尚、この無線照度センサ２は、机９の上だけでなく、例えば照明装置４の照明エリア内であれば、床の上などに設置しても良い。また、無線照度センサ２は、１個に限定されることはなく、例えば複数設けても良い。
【００３０】
この無線照度センサ２の具体的な構成が図２に示されている。  
図２に示すように、無線照度センサ２は、照度計測機能付きの無線型の無線照度センサであって、例えば、照度センサ１０と、アンテナ１１と、電源部１２と、照度計測部１３と、無線通信部１４と、制御部１５とを有して構成されている。尚、照度センサ１０は前記センサ部を構成している。
【００３１】
照度センサ１０は、例えば、無線照度センサ２の外観を構成する筐体の表面に図示しない受光素子などの光センサが設けられて構成され、照明装置４の照明エリアの照度を検出して、照度計測部１２に出力する。
【００３２】
この場合、照度センサ１０は、複数の照明装置４のうち、特定の照明装置４の照明エリア内に配置されており、また、特定の照明装置４に対向するので、主としてこの特定の照明装置４からの直接光を検出している。
【００３３】
従って、照度センサ１０により検出された照度は、特定の照明装置４により照明された照明エリア内の実際の照度として用いられるようになっている。
【００３４】
アンテナ１１は、照明制御装置３側の送受信機器５との間で、無線信号である信号を送受信するものであり、例えば筐体の表面上に設けられている。このアンテナ１１は、無線通信部１４に電気的に接続されている。
【００３５】
そして、無線通信部１４は、受信アンテナ１１を用いて、照明制御装置３側の送受信機５との間で、照度値信号を含む各種設定信号や各種制御信号などの信号を無線信号として送受信できるように構成されている。
【００３６】
電源部１２は、例えば電池などのバッテリィで構成されたもので、無線照度センサ２全体の電源供給源である。つまり、電源部１２は、照度計測部１３、無線通信部１４及び制御部１５に対して給電を行う。
【００３７】
照度計測部１３は、照度センサ１０により検出した照度を計測処理し、得た照度値信号を制御部１５に出力する。
【００３８】
制御部１５は、無線照度センサ２全体を制御するもので、照度計測部１３による計測処理及び無線通信部１４による送受信処理を制御する。
【００３９】
尚、無線通信部１４による送受信処理では、照度値信号を含む各種設定信号や、各種制御信号の送受信が行われるようになっている。また、予め設定された無線照度センサ２のＩＤ情報等を送信しても良い。
【００４０】
一方、バス７に接続された送受信機５は、無線照度センサ２の無線通信部１４によりアンテナ１１を介して送信された照度値信号を受信すると共に、無線通信部１４に各種設定信号を送信する。
【００４１】
各種設定信号とは、例えば、前記特定の照明装置の点灯状態を示す信号であって、具体的には、手動で特定の照明装置４の点灯をオン／オフする壁スイッチ６からの操作信号、あるいは照明制御装置３内に記憶された照明装置４の使用状況を示すスケジュール情報などを含むものである。勿論、その他にも、無線照度センサ２自体を制御するための時間情報や各種制御信号を含む場合もある。
【００４２】
そして、照明制御装置３は、図示しないが予め設定された照度レベルが記憶されたメモリを有している。そして、照明制御装置３は、送受信機５により受信した照度値信号に基づく照度レベルが前記メモリ内の予め設定された照度レベルに一致するように調光信号を生成し、この生成した調光信号をバス７を介して特定の照明装置４に出力してこの特定の照明装置４を調光制御する。
【００４３】
このことにより、特定の照明装置４の照明エリアの照度は、常に目標照度である予め設定された照度レベルに一定制御される。尚、勿論、照明制御装置３内のメモリに記憶された照度レベルは、自在に変更可能である。
【００４４】
次に、このような構成された照明制御システムの基本的な動作について、図３を参照しながら説明する。尚、図３中実線で囲む部分は無線照度センサ２の動作期間を示し、図３中点線で囲む部分はスリープモードの動作期間を示している。
【００４５】
本実施の形態の照明制御システム１において、無線照度センサ２の制御部１５は、通常時には、照度計測部１３による計測処理と無線通信部１４による照度値信号の送信処理を予め設定された時間間隔ｔ０で行うように制御する。
【００４６】
具体的には、無線照度センサ２の制御部１５は、図３に示すように、時刻ｔ１にて照度計測部１３による照度の計測処理を行い、その後、時刻ｔ２にて、得た照度値信号を無線通信部１４により送受信機５に送信する。
【００４７】
そして、時刻ｔ３にて、照明制御装置３は、送受信機５により受信した照度値信号に基づく照度レベルが前記メモリ内の予め設定された照度レベルに一致するように調光信号を生成し、この生成した調光信号をバス７を介して特定の照明装置４に出力してこの特定の照明装置４を調光制御する。こうして、特定の照明装置４の照明エリアの照度は、常に目標照度である予め設定された照度レベルに一定制御される。
【００４８】
その後、無線照度センサ２の制御部１５は、照度値信号の送信後に、図示しないタイマーのカウントを開始して、予め設定された時間間隔ｔ０が経過するまで待機状態になる。
【００４９】
そして、時間間隔ｔ０の経過後、制御部１５は、再び、時刻ｔ４にて照度計測部１３による照度の計測処理を行い、その後、時刻ｔ５にて、得た照度値信号を無線通信部１４により送受信機５に送信する。
【００５０】
そして、時刻ｔ６にて、照明制御装置３は、再び送受信機５により受信した照度値信号に基づく照度レベルが前記メモリ内の予め設定された照度レベルに一致するように調光信号を生成し、この生成した調光信号をバス７を介して特定の照明装置４に出力してこの特定の照明装置４を調光制御する。
【００５１】
その後、無線照度センサ２の制御部１５は、照度値信号の送信後に、前記同様に図示しないタイマーのカウントを再び開始して、予め設定された時間間隔ｔ０が経過するまで待機状態になる。
【００５２】
このようにして制御部１５は、照度計測部１３による計測処理と無線通信部１４による照度値信号の送信処理を予め設定された時間間隔ｔ０以外で行うように繰り返し制御する。
【００５３】
すなわち、制御部１５は、照度計測部１３による計測処理と無線通信部１４による照度値信号の送信処理を行った後に、待機状態となるスリープモードに移行させる。言い換えれば、このスリープモード期間ｔｘは、予め設定された時間間隔ｔ０毎に実行されることになる。
【００５４】
従って、本実施の形態の照明制御システム１では、通常時の場合でも前記したような間欠動作で動作することができると同時に、スリープモード期間ｔｘが実行されるので、無線照度センサ２の消費電力を低減することが可能となり、よって、電源部１２の電池などの寿命を長くすることが可能となる。
【００５５】
次に、照明制御システム装置１の特徴となる動作について、図４を参照しながら説明する。  
本実施の形態の照明制御システム１において、無線照度センサ２の制御部１５は、さらに、特定の照明装置４の点灯状態に応じて、前記予め設定された時間間隔（インターバルともいう）ｔ０を変更するように制御することが可能である。
【００５６】
具体的には、無線照度センサ２の制御部１５は、通常、図３に示すように制御するが、例えば、特定の照明装置４の点灯状態を示す設定信号を受信した場合には、図４に示すように、前記予め設定された時間間隔ｔ０を変更した第１のスリープモードを実行するように制御する。
【００５７】
この第１のスリープモードとは、図３に示すスリープモードとは異なり、スリープモード期間ｔｘよりも長く所定時間延長されたスリープモード期間ｔ０１を有して、このスリープモード期間ｔ０１内では、照度の計測処理及び照度値信号の送信を行わない待機状態となるモードである。
【００５８】
つまり、図４に示すようにスリープモード実行中に、時刻ｔｋにて、特定の照明装置４の点灯状態を示す、例えば手動で特定の照明装置４の点灯をオフする壁スイッチ６からの操作信号の要求があったとする。
【００５９】
尚、この操作信号による要求以外に、例えば照明制御装置３内に記憶されたスケジュール情報に特定の照明装置４の点灯をオフする設定情報による要求であっても良い。
【００６０】
すると、照明制御装置３は、時刻ｔｌにてこの操作信号の要求に基づき、特定の照明装置４の点灯を消灯するように制御する。
【００６１】
そして、照明制御装置３は、予め設定された時間間隔ｔ０（インターバルともいう）を変更する要求（具体的にはスリープモードを第１のスリープモードに移行するための要求）の制御信号を、時刻ｔｍにて送受信機５を介して、無線照度センサ２へと送信する。
【００６２】
すると、無線照度センサ２の制御部１５は、この時刻ｔｍにて、予め設定された時間間隔ｔ０を延長すると同時に、図示しないタイマーのカウントを開始して、予め設定された時間間隔ｔ０よりも長く所定時間延長されたスリープモード期間ｔ０１が経過するまで待機状態になる。
【００６３】
以降については、通常時と同じように、制御部１５は、照度計測部１３による計測処理と無線通信部１４による照度値信号の送信処理を、変更された時間間隔ｔ０１で行うように繰り返し制御する。
【００６４】
すなわち、制御部１５は、通常時のスリープモードから第１のスリープモードに移行したことにより、時刻ｔ７では照度計測部１３による計測処理を行わず、また、時刻ｔ８では無線通信部１４による照度値信号の送信処理も行わないように制御する。
【００６５】
従って、通常時よりも、待機状態となる期間、すなわち、第１のスリープモード期間ｔ０１が長いので、無線照度センサ２の消費電力を通常時よりも低減することが可能となり、よって、電源部１２の電池などの寿命を長くすることが可能となる。
【００６６】
従って、第１の実施の形態によれば、照度センサ１０による照度検出処理及びこのセンサ信号の送信処理が行われる予め設定された時間間隔ｔ０を変更可能に制御できる無線照度センサ２を備えたことで、無線照度センサ２の消費電力を低減し電池寿命を長くできる照明制御システム１を提供することが可能となる。これにより、省エネ効果の向上に大きく寄与する。
【００６７】
（第２の実施の形態）
図５は本発明の第２の実施の形態を示す、無線照度センサの具体的な構成を示すブロック図である。
【００６８】
尚、図５は第１の実施の形態と同様の構成要素については同一の符号を付して異なる部分のみを説明する。
【００６９】
第１の実施の形態では、予め設定された時間間隔ｔ０の変更制御は、照明制御装置３からの操作信号の要求等の設定信号を受信した場合に行ったが、本実施の形態では、無線照度センサ２の制御部１５は、無線照度センサ２自体で特定の照明装置４が消灯したか否かを判断して、消灯した場合には、予め設定された時間間隔ｔ０の変更制御を行うようにしている。
【００７０】
具体的には、図５に示すように、無線照度センサ１５は、照度計測部１３による照度値信号に基づく照度レベルが予め設定された消灯状態に対応する照度レベルに一致するか否かを判定する照度判定部１６を設けている。
【００７１】
この照度判定部１６は、照度計測部１３により照度の計測処理の実行毎に、判定を行う。この判定結果は、制御部１５に出力される。
【００７２】
ここで、制御部１５は、前記判定結果が、照度計測部１３による照度値信号に基づく照度レベルが予め設定された消灯状態に対応する照度レベルに一致したものとすると、照明装置４は消灯状態にあるものと判断して、第１の実施の形態の照明制御装置３から予め設定された時間間隔ｔ０を変更する要求の制御信号を受信しなくても、判断した時点で、通常のスリープモードから第２のスリープモードに移行するように制御する。
【００７３】
すなわち、制御部１５は、照明制御装置３からの制御信号を受信するのではなく、無線照度センサ２自体で照明装置４の消灯状態を検出して通常のスリープモードから第２のスリープモードに移行するように制御する。
【００７４】
従って、制御部１５は、第２のスリープモードが実行されたときから、図示しないタイマーのカウントを開始して、予め設定された時間間隔ｔ０よりも長く所定時間延長されたスリープモード期間ｔ０１が経過するまで待機状態になる。
【００７５】
以降については、第１の実施の形態の時間間隔変更時と同じように、制御部１５は、照度計測部１３による計測処理と無線通信部１４による照度値信号の送信処理を、変更された時間間隔ｔ０１で行うように繰り返し制御する。
【００７６】
ここで、制御部１５は、照明装置４が消灯状態であると判断した場合には、照度値信号を送信しないように構成しても良い。
【００７７】
従って、第２の実施の形態によれば、第１の実施の形態と同じ効果を得る他に、無線照度センサ２側で照度の判定を行って、第２のスリープモードに移行することができるので、照明制御装置３から時間間隔の変更要求の制御信号を送信する必要がないため、照明制御システム全体の消費電力を低減することができる。
【００７８】
尚、本実施の形態では、照明制御装置３からの操作信号等の設定信号を受信した場合には、第１のスリープモードに移行しても良い。
【００７９】
（第３の実施の形態）
図６及び図７は本発明の第３実施の形態を示し、図６は第３の実施の形態の照明制御システムの全体構成を示す構成図、図７は人感センサによる検出結果に応じて無線照度センサのインターバル変更制御例を説明するための説明図である。
【００８０】
尚、図６及び図７は第１の実施の形態と同一の構成要素については同一の符号を付して説明を省略し、異なる部分のみを説明する。
【００８１】
本実施の形態では、さらに、照明装置４近傍の人の有無を検出する人感センサ８を設け、この人感センサ８による検出結果に基づいて、第１のスリープモードを実行するように構成されている。
【００８２】
具体的には、第３の実施の形態の照明制御システム１は、図６に示すように、バス７に接続される人感センサ８を設けて構成されている。その他の構成は、第１の実施の形態と略同様である。
【００８３】
本実施の形態の照明制御装置の特徴となる動作について、図７を参照しながら説明する。尚、図７中実線で囲む部分は無線照度センサ２の動作期間を示し、図７中点線で囲む部分はスリープモードの動作期間を示している。
【００８４】
図７に示すように、人感センサ８は、常に人感検出動作を行っている。そして、人感センサ８は、時刻ｔｈにて、例えば人がいない、例えばローレベルの信号である検出結果を得たとする。
【００８５】
すると、このローレベルの検出結果は、時刻ｔｉにて、バス７を介して照明制御装置３に出力される。そして、これを受けて照明制御装置３は、この人感センサ８からの検出結果から、特定の照明装置４の照明エリア近傍に人が存在しないものと判断して、時刻ｔｍにて、第１の実施の形態と同様に予め設定された時間間隔ｔ０（インターバルともいう）を変更する要求の制御信号を送受信機５を介して、無線照度センサ２へと送信する。
【００８６】
すると、無線照度センサ２の制御部１５は、この時刻ｔｍにて、第１の実施の形態と同様に、予め設定された時間間隔ｔ０を延長すると同時に、図示しないタイマーのカウントを開始して、予め設定された時間間隔ｔ０よりも長く所定時間延長されたスリープモード期間ｔ０１が経過するまで待機状態になる。
【００８７】
以降については、第１のスリープモード実行時と同じように、制御部１５は、照度計測部１３による計測処理と無線通信部１４による照度値信号の送信処理を、変更された時間間隔ｔ０１で行うように繰り返し制御する。
【００８８】
すなわち、制御部１５は、通常時のスリープモードから第１のスリープモードに移行したことにより、時刻ｔ７では照度計測部１３による計測処理を行わず、また、時刻ｔ８では無線通信部１４による照度値信号の送信処理も行わないように制御する。
【００８９】
このため、通常時によりも、待機状態となる期間、すなわち、第１のスリープモード期間ｔ０１が長いので、無線照度センサ２の消費電力を通常時よりも低減することが可能となり、よって、電源部１２の電池などの寿命を長くすることが可能となる。
【００９０】
尚、人感センサ８からの検出結果が、例えば人がいるハイレベルの信号である場合には、第１の実施の形態にて説明した通常時のスリープモードが実行されることになる。
【００９１】
従って、第３の実施の形態によれば、第１の実施の形態と同様の効果が得られる他に、人感センサ８の検出結果を基に、予め設定されて時間間隔の変更制御を行うことができ、無線照度センサ２の消費電力を低減し、電池などの寿命を長くできる。
【００９２】
（第４の実施の形態）
図８は本発明の第４の実施の形態の照明制御システムに係り、無線照度センサのインターバル変更制御例を説明するための説明図である。
【００９３】
尚、図８は第１の実施の形態と同一の構成要素については同一の符号を付して説明を省略し、異なる部分のみを説明する。
【００９４】
本実施の形態では、第２の実施の形態の照明制御システムを改良したもので、例えば無線照度センサ２の制御部１５は、照明制御装置３からの時間間隔の時間変更要求ではなく、照度判定１６による照度判定結果のみに基づいて、第２のスリープモード又は通常時のスリープモードを実行するように構成されている。つまり、スリープモード期間は、時間変更要求を受信するための待機電力をカットすることができる。
【００９５】
具体的には、第４の実施の形態の照明制御システム１は、第２の実施の形態で用いた図５に示す構成の無線照度センサ２を有している。
【００９６】
そして、本実施の形態では、この無線照度センサ２の照度判定部１６は、照度計測部１３による照度値信号に基づく照度レベルと予め設定された照度レベル（例えば８０ｌｘ）との比較を行い、照度計測部１３による計測照度レベルが８０ｌｘ以下である場合には第２のスリープモードを実行し、一方、８０ｌｘ以上である場合には通常のスリープモードを実行するように制御する。
【００９７】
その他の構成は、第２の実施の形態と同様である。
【００９８】
次に、本実施の形態の照明制御システム１の動作について、図８を参照しながら説明する。
【００９９】
通常時、無線照度センサ２の制御部は、第２の実施の形態と同様に通常のスリープモードが実行されている。
【０１００】
そして、照度計測部１３は、時刻ｔ４における照度計測で、例えば５０ｌｘの照度を計測したとする。
【０１０１】
この場合、制御部１５は、ステップＳ１の処理にて、この計測照度である５０ｌｘと、予め設定された照度レベル（例えば８０ｌｘ）との比較を行う。この場合、照度計測部１３による計測照度レベル（５０ｌｘ）が８０ｌｘ以下であるので、制御部１５は、第２の実施の形態と同様に、第２のスリープモードを実行するように制御する。
【０１０２】
つまり、この場合は、時刻ｔｋにて、特定の照明装置４の消灯の操作信号が照明制御装置３に供給され、そして、照明制御装置３によって、時刻ｔ１にて、その特定の照明装置４が消灯された状態である。
【０１０３】
このため、時刻ｔ４に行われる照度計測部１３による照度計測は、消灯以前の照度よりも小さくなり、よって、制御部１５によって、照度計測処理及び照度値信号の送信処理が不要とみなされて、消費電力を低減するための第２のスリープモードが実施される。
【０１０４】
その後、制御部１５は、再度、時刻ｔｎにて、照度計測部１３による照度計測を行うと同時に、前記同様の計測照度レベルと予め設定された照度レベル（８０ｌｘ）との比較を行う。
【０１０５】
このとき、図８に示すように、計測照度レベルが５０ｌｘであると、制御部１５は、前回同様に無線照度センサ２を動作する必要がないものと判断して、引き続き第２のスリープモードを継続する。
【０１０６】
その後、照明制御装置３に特定の照明装置４の点灯指示を示す操作信号が、時刻ｔｑにて供給されたものとする。すると、照明制御装置３は、時刻ｔｒにてこの操作信号に基づいて特定の照明装置４を点灯制御する。
【０１０７】
すなわち、この照明装置４の点灯により、無線照度センサ２の近傍は明るくなる。そして、制御部１５は、第２のスリープモード期間ｔ０１経過後に、再び、時刻ｔｓにて、照度計測部１３による照度計測を行うと同時に、前記同様の計測照度レベルと予め設定された照度レベル（８０ｌｘ）との比較を行う。
【０１０８】
このとき、図８に示すように、制御部１５は、照明装置４の点灯により、計測照度レベルが７００ｌｘであると、ステップＳ２の処理にて、時間間隔ｔｏ１を再び通常時の短い時間間隔ｔ０に戻すように通常時のスリープモードに移行するように制御する。
【０１０９】
以降については、照度判定部１６による判定結果に基づき、前記同様の制御が行われる。
【０１１０】
従って、第４の実施の形態によれば、第１の実施の形態と同じ効果を得る他に、無線照度センサ２側で照度の判定結果に基づいて、通常のスリープモード又は第２のスリープモードに効果的に移行することができるので、無線照度センサ２の消費電力をより低減することが可能となり、電池の寿命をより長くすることができる。
【０１１１】
ところで、第１から第４の実施の形態では、省電力モードであるスリープモードや第１のスリープモード、第２のスリープモードの実行又は切替のタイミングは、無線照度センサ２側にて、照明制御装置３からの時間間隔の変更要求や照度計測判定結果、或いは人感センサ８の検出結果等に応答して行っていたが、照明制御装置３から強制的にさらに強い第３のスリープモードである省電力モードを実行させることが可能である。このような実施の形態を図９に示す。
【０１１２】
（第５の実施の形態）
図９は本発明の第５の実施の形態の照明制御システムに係り、照明制御装置及び無線照度センサのインターバル変更制御例を説明するための説明図である。
【０１１３】
本実施の形態では、照明制御装置３から省電力モードを実行するための制御信号を強制的に無線照度センサ２に送信することで、無線照度センサ２をスリープモード、第１のスリープモードや第２のスリープモード以上に省電力な省電力モードである第３の省電力モードを実行させるようにしている。
【０１１４】
具体的には、無線照度センサ２の制御部は、照明制御装置３からの省電力実行を示す制御信号を受信して予め設定された時間間隔ｔ０を変更する場合には、電源部１２による給電を停止して照度計測部１３による計測処理と無線通信部１４による照度値信号を含む各種設定信号の送受信処理とを行わない第３のスリープモードを所定時間実行するように制御する。
【０１１５】
図９に、本実施の形態の照明制御装置１の制御例が示されている。
【０１１６】
すなわち、図９に示すように、照明制御装置３は、ステップＳ１０により、省電力モードである第３のスリープモードで動作開始するとともに、この第３のモードの動作時間を示す制御信号を送受信機５を介して、無線照度センサ２に送信する。
【０１１７】
すると、無線照度センサ２の制御部１５は、ステップＳ１１の処理で、受信した制御信号に基づき、第３のスリープモードを実行すると同時に、図示しないタイマーのカウントを開始して、予め設定された時間間隔が経過するまで完全にオフ状態となる。
【０１１８】
すなわち、この時間間隔の間は、照度計測部１３による計測処理及び照度値信号の送信処理も行わない。
【０１１９】
その後、ステップＳ１２にて、制御１５は、図示しないタイマーにより所定時間経過した場合には、続くステップＳ１３の処理で、電源部１２により給電を開始して無線照度センサ２自体の電源をオンすると同時に、照度計測部１３による計測処理及び照度値信号の送信処理も行う。
【０１２０】
そして、照明制御装置３は、ステップＳ１４の処理で、送信された照度値信号を受信すると同時に、受信した照度値信号に基づく照度レベルが前記メモリ内の予め設定された照度レベルに一致するように調光信号を生成し、この生成した調光信号をバス７を介して特定の照明装置４に出力してこの特定の照明装置４を調光制御する。
【０１２１】
同時に、照明制御装置３は、特定の照明装置４の調光制御を完了した旨を示す制御信号を無線照度センサ２に送信する。
【０１２２】
すると、無線照度センサ２の制御部１５は、ステップＳ１５の処理で、再び、ステップＳ１１と同様に、第３のスリープモードを実行すると同時に、再び、図示しないタイマーのカウントを開始して、予め設定された時間間隔が経過するまで完全にオフ状態となる。
【０１２３】
すなわち、この時間間隔の間は、同様に照度計測部１３による計測処理及び照度値信号の送信処理も行わない。
【０１２４】
尚、勿論、無線照度センサ２が完全にオフ状態になる第３のスリープモードに代えて、スリープモード、第１又は第２のスリープモードを実行しても良く、あるいは、第３のスリープモードの動作期間をこれらのスリープモードに応じた時間間隔ｔ０、ｔ０１に設定しても良い。
【０１２５】
従って、第５の実施の形態によれば、無線照度センサ２を完全にオフする第３のスリープモードを実行することができるので、第１〜第４の実施の形態よりも、消費電力を削減することが可能となり、電池の寿命も大幅に長くできる。
【０１２６】
尚、第５の実施の形態では、例えば図１０に示す変形例のように、無線照度センサ２内に記憶された照明装置の使用状況を示すスケジュール情報などの時間情報及び照明装置４の使用状況を用いて得た期間、第３のスリープモードを実行するように構成しても良い。
【０１２７】
この場合、無線照度センサ２の制御部１５は、ステップＳ２１の処理にて、照度計測部１３による計測処理及び照度値信号の送信処理を行う。
【０１２８】
そして、照明制御装置３は、ステップＳ２２の処理で、送信された照度値信号を受信すると同時に、受信した照度値信号に基づく照度レベルが前記メモリ内の予め設定された照度レベルに一致するように調光信号を生成し、この生成した調光信号をバス７を介して特定の照明装置４に出力してこの特定の照明装置４を調光制御する。
【０１２９】
同時に、照明制御装置３は、第３のスリープモードの動作時間と、特定の照明装置４の調光制御を完了した旨を示す制御信号を無線照度センサ２に送信する。
【０１３０】
すると、無線照度センサ２の制御部１５は、ステップＳ２３の処理で、第３のスリープモードを実行すると同時に、図示しないタイマーのカウントを開始して、予め設定された時間間隔が経過するまで完全にオフ状態となる。
【０１３１】
すなわち、この時間間隔の間は、同様に照度計測部１３による計測処理及び照度値信号の送信処理も行わない。
【０１３２】
それ以降は、同様に繰り返し制御される。
【０１３３】
すなわち、本変形例では、ステップＳ２１の処理で無線照度センサ２の制御部１５により照度値信号の送信処理を行ってから、ステップＳ２３の処理で第３のスリープモード実行するまでの所定時間（規定時間ｔｚ）を規定している。
【０１３４】
つまり、この規定時間ｔｚ以内の期間では、照度値信号の送信処理が可能で、且つ照明制御装置３からの制御信号の受信が可能であり、この規定以外の期間では、完全に電源がオフ状態となる第３のスリープモードが実行されることになる。
【０１３５】
従って、本変形例においても、第５の実施の形態と同様に、無線照度センサ２の消費電力を大幅に低減することが可能となり、電池の寿命をより長くできる。
【０１３６】
本発明は、以上述べた実施の形態及び変形例のみに限定されるものではなく、発明の要旨を逸脱しない範囲で種々変形実施可能である。
【図面の簡単な説明】
【０１３７】
【図１】本発明の第１の実施の形態の照明制御システムの全体構成を示す構成図。
【図２】図１の無線照度センサの具体的な構成を示すブロック図。
【図３】通常時の無線照度センサの制御例を説明するための説明図。
【図４】消灯要求等の指示があった場合の無線照度センサのインターバル変更制御例を説明するための説明図。
【図５】本発明の第２の実施の形態を示す、無線照度センサの具体的な構成を示すブロック図。
【図６】本発明の第３実施の形態の照明制御システムの全体構成を示す構成図。
【図７】人感センサによる検出結果に応じて無線照度センサのインターバル変更制御例を説明するための説明図。
【図８】本発明の第４の実施の形態の照明制御システムに係り、無線照度センサのインターバル変更制御例を説明するための説明図。
【図９】本発明の第５の実施の形態の照明制御システムに係り、照明制御装置及び無線照度センサのインターバル変更制御例を説明するための説明図。
【図１０】第５の実施の形態の変形例を示し、照明制御装置及び無線照度センサのインターバル変更制御例を説明するための説明図。
【符号の説明】
【０１３８】
１…照明制御システム、
２…無線照度センサ、
３…照明制御装置、
４…照明装置、
５…送受信機、
６…壁スイッチ、
７…バス、
８…人感センサ、
１０…照度センサ、
１１…アンテナ、
１２…電源部、
１３…照度計測部、
１４…無線通信部、
１５…制御部、
１６…照度判定部。
【図１】
2009181747.tif 000003
【図２】
2009181747.tif 000004
【図３】
2009181747.tif 000005
【図４】
2009181747.tif 000006
【図５】
2009181747.tif 000007
【図６】
2009181747.tif 000008
【図７】
2009181747.tif 000009
【図８】
2009181747.tif 000010
【図９】
2009181747.tif 000011
【図１０】
2009181747.tif 000012